(57)【特許請求の範囲】
【請求項１】
排水トラップ本体の上縁内周面に雌ねじ部を設け、その雌ねじ部に対応する雄ねじ部を外周に設けた環状の目皿受とで、目皿受を締めこむことにより、環状の目皿受の上側外周外側に突出する鍔と、排水トラップ本体の外周外側に突出する上縁部及びその間に介在させたパッキンによって、取付穴の内周縁に固着する排水トラップであって、目皿受の下側内周には内側に向かって突出する封水筒受部を形成し、その上側に封水筒の上縁鍔部を押さえる爪状の突出片を形成し、封水筒の上縁鍔部に目皿受の突出片に対応する切欠きを設けると共に、封水筒の上縁鍔部の表裏両面にねじ傾斜を有する分割ねじを形成し、封水筒受部と爪状の突出片とパッキンとで封水筒の上縁鍔部を挟んで封水筒の筒部を排水トラップ本体の内側又は外側のいずれでもねじの傾斜と突出片の係合により密着状態に装着自在とすることを特徴とする排水トラップ。
【請求項２】
請求項１に記載の排水トラップを排水パンに取付けた後、封水筒の上縁鍔部を下向きにして封水筒の上縁鍔部の切欠きを目皿受の突出片に係合させ、ねじ傾斜を有する分割ねじの方向に回し、ねじの傾斜により封水筒の上縁鍔部をパッキンに密着させ、排水筒の筒部を排水トラップ本体の外側にして装着した後排水パンに水を入れて、排水トラップと排水パンとの取付箇所の漏水試験を行うことを特徴とする漏水試験方法。
【発明の詳細な説明】
【０００１】
【発明の属する技術分野】
本発明は、排水パンからの排水を排水配管に接続するための排水トラップ及びこれの取付箇所からの漏水の有無を試験する方法に関する。
【０００２】
【従来の技術】
排水パンからの排水を排水配管に接続するための排水トラップとしては、従来、排水トラップ本体の上縁内周面に雌ねじ部を設け、その雌ねじ部に対応する雄ねじ部を外周に設けた環状の目皿受とで、目皿受を締めこむことにより、環状の目皿受の上側外周外側に突出する鍔と、排水トラップ本体の外周外側に突出している上縁部及びその間に介在させたパッキンによって、取付穴の内周縁に固着することが行われている。しかしながら、排水トラップを排水パンに取付ける際に不具合があると、排水トラップと排水パンとの取付箇所で漏水する可能性がある。排水トラップと排水パンの取付箇所の漏水を試験する簡便な手段がないため、漏水した場合再度取付けをやり直す必要があり、漏水の苦情は信用を害するという問題点があった。
【０００３】
【発明が解決しようとする課題】
本発明は、簡便な手段により、排水トラップと排水パンとの取付けの際、漏水試験ができる排水トラップ及びこれの取付け箇所の漏水試験方法を提供することを目的とする。
【０００４】
【課題を解決するための手段】
このような目的を達成するために、請求項１の発明は、排水トラップ本体の上縁内周面に雌ねじ部を設け、その雌ねじ部に対応する雄ねじ部を外周に設けた環状の目皿受とで、目皿受を締めこむことにより、環状の目皿受の上側外周外側に突出する鍔と、排水トラップ本体の外周外側に突出する上縁部及びその間に介在させたパッキンによって、取付穴の内周縁に固着する排水トラップであって、目皿受の下側内周には内側に向かって突出する封水筒受部を形成し、その上側に封水筒の上縁鍔部を押さえる爪状の突出片を形成し、封水筒の上縁鍔部に目皿受の突出片に対応する切欠きを設けると共に、封水筒の上縁鍔部の表裏両面にねじ傾斜を有する分割ねじを形成し、封水筒受部と爪状の突出片とパッキンとで封水筒の上縁鍔部を挟んで封水筒の筒部を排水トラップ本体の内側又は外側のいずれでもねじの傾斜と突出片の係合によりにより密着状態に装着自在とすることを特徴とする。
【０００５】
請求項２の発明は、請求項１に記載の排水トラップを排水パンに取付けた後、封水筒の上縁鍔部を下向きにして封水筒の上縁鍔部の切欠きを目皿受の突出片に係合させ、ねじの傾斜を有する分割ねじの方向に回し、ねじの傾斜により封水筒の上縁鍔部をパッキンに密着させ、排水筒の筒部を排水トラップ本体の外側にして装着した後排水パンに水を入れて、排水トラップと排水パンとの取付箇所の漏水試験を行うことを特徴とする。
【０００６】
【発明の実施の形態】
以下、図面に基づき本発明の実施例を詳細に説明する。
図１は本発明の排水トラップの一実施例を示す縦断面図、図２は本発明の封水筒を示す平面図、図３は本発明の封水筒の筒部を排水トラップの内側に向けて取付ける状態を示す拡大縦断面図、図４は本発明の封水筒の筒部を排水トラップの外側に向けて取付ける状態を示す拡大縦断面図、図５は本発明の排水トラップの取付箇所の漏水試験の状態を示す縦断面図である。
【０００７】
本発明の排水トラップ１００は、図１に縦断面図で示すように、排水トラップ本体１１０、環状の目皿受１２０、封水筒１３０、パッキン１４０とからなる。排水トラップ本体１１０は、外周外側に突出する上縁部１１１及び上縁内周面に雌ねじ部１１２を設けてある。１１３は配水管との接続部である。環状の目皿受１２０は、上側外周外側に突出する鍔１２１及び排水トラップ本体１１０の雌ねじ部１１２に対応する雄ねじ部１２２を外周に設けてある。封水筒１３０は、上縁鍔部１３１及び筒部１３２を有する。１３３は封水筒１３０内側に形成したリブである。排水トラップ本体１１０の上縁内周面に設けた雌ねじ部１１２に、環状の目皿受１２０に設けた雄ねじ部１２２を締めこむことにより、環状の目皿受１２０の上側外周外側に突出する鍔１２１と、排水トラップ本体１１０の外周外側に突出している上縁部１１１及びその間に介在させたパッキン１４０によって、排水パン２００の取付穴の内周縁に固着してある。
【０００８】
環状の目皿受１２０の下側内周には内側に向かって突出する封水筒受部１２３を形成してあり、その上側に封水筒１３０の上縁鍔部１３１を押さえる爪状の突出片１２４を形成してある。爪状の突出片１２４の上側に目皿（図示略）を支持する目皿支持片１２５が形成してある。
【０００９】
図２に平面図で示すように、封水筒１３０の上縁鍔部１３１には、切欠き１３４が形成してある。切欠き１３４の形成位置は、爪状の突出片１２４及び目皿支持片１２５の形成位置に対応する箇所としてあると共に、表裏両面は分割ねじ１３５としてある。
【００１０】
封水筒１３０をその筒部１３２を排水トラップ本体１１０の内側にして取付けるには、まず、封水筒１３０の切欠き１３４を爪状の突出片１２４及び目皿支持片１２５の形成位置に合わせて挿入する。この際、封水筒１３０の内側にリブ１３３を形成しておくと、取付けの際リブ１３３を掴むことができるので好適である。図３（ａ）に拡大縦断面図で示すように、封水筒１３０の上縁鍔部１３１と目皿受１２０の封水筒受部１２３との間にパッキン１５０を介在させておく。ついで、封水筒１３０を回動させると、図３（ｂ）に示すように、封水筒１３０の上縁鍔部１３１は、分割ねじ１３５に沿ってパッキン１５０の方向に移動し、封水筒１３０の上縁鍔部１３１と目皿受１２０の封水筒受部１２３とがパッキン１５０を介して水密に取り付けることができる。
【００１１】
封水筒１３０をその筒部１３２を排水トラップ本体１１０の外側にして取付けるには、まず、封水筒１３０の切欠き１３４を爪状の突出片１２４及び目皿支持片１２５の形成位置に合わせて挿入する。図４（ａ）に拡大縦断面図で示すように、封水筒１３０の上縁鍔部１３１と目皿受１２０の封水筒受部１２３との間にパッキン１５０を介在させておく。ついで、封水筒１３０を回動させると、図４（ｂ）に示すように、封水筒１３０の上縁鍔部１３１は、分割ねじ１３５に沿ってパッキン１５０の方向に移動し、封水筒１３０の上縁鍔部１３１と目皿受１２０の封水筒受部１２３とがパッキン１５０を介して水密に取り付けることができる。
【００１２】
本発明の排水トラップの取付箇所の漏水試験を行うには、封水筒１３０の上縁鍔部１３１を下向きにして封水筒１３０の上縁鍔部１３１の切欠き１３４を目皿受１２０の突出片１２４に係合させ、分割ねじ１３５の方向に回し、分割ねじ１３５の傾斜により封水筒１３０の上縁鍔部１３１をパッキン１５０に密着させる。排水筒１３０の筒部１３２を排水トラップ本体１１０の外側にして装着した後，図５に縦断面図で示すように、排水パン２００に水を入れて、排水トラップ本体１１０と排水パン２００との取付箇所、とくにパッキン１４０の箇所から漏水がないかどうかを試験する。漏水がないことを確認後、封水筒１３０を分割ねじ１３５と反対方向に回わして取り外し、封水筒１３０の筒部１３２を排水トラップ本体１１０の内側にして取付け、目皿（図示略）を目皿支持片１２５上に載置して、取り付け作業を終了する。
【００１３】
【発明の効果】
本発明によれば、簡便な手段により、排水トラップと排水パンとの取付けの際、排水トラップと排水パンとの取付箇所の漏水試験が簡単にできる等の利点がある。
【図面の簡単な説明】
【図１】本発明の排水トラップの一実施例を示す縦断面図
【図２】本発明の封水筒を示す平面図
【図３】本発明の封水筒の筒部を排水トラップの内側に向けて取付ける状態を示す拡大縦断面図
【図４】本発明の封水筒の筒部を排水トラップの外側に向けて取付ける状態を示す拡大縦断面図
【図５】本発明の排水トラップの取付箇所の漏水試験の状態を示す縦断面図
【符号の説明】
１００  排水トラップ      １１０  排水トラップ本体
１１１  上縁部            １１２  雌ねじ部
１２０  環状の目皿受      １２１  鍔
１２２  雄ねじ部          １２３  封水筒受部
１２４  爪状の突出片      １２５  目皿支持片
１３０  封水筒            １３１  上縁鍔部
１３２  筒部              １３３  リブ
１３４  切欠き            １３５  分割ねじ
１４０  パッキン          １５０  パッキン
２００  排水パン
【図１】
0003610124.tif 000002
【図２】
0003610124.tif 000003
【図３】
0003610124.tif 000004
【図４】
0003610124.tif 000005
【図５】
0003610124.tif 000006